(57)【要約】      （修正有）【課題】天気に関係なく持続的に喚気を行うことができるテント側面に形成される側面換気口の換気構造を提供する。【解決手段】開閉窓１０３の開閉により空気の流入量を調節できる内側換気口１０２を有する内側テント１０１と、この内側テント１０１の外側を覆って使用する外側テント１１１とを含む。内側テント１０１の内側換気口１０２に外部の空気を供給するために内側換気口１０２に対応して並んで外側テント１１１に形成される外側換気口１１２と、この外側換気口１１２を通じて外部異物の流入を遮断するために外側換気口１１２に付着されるメッシュ窓１１３とを備えている。【選択図】図３
0003153907.tif 000002
【実用新案登録請求の範囲】
【請求項１】
開閉窓の開閉により空気の流入量を調節できる内側換気口を有する内側テントと、前記内側テントの外側を覆って使用する外側テントとを含むテントにおいて、
前記内側テントの内側換気口を通じて外部の空気をテントの内部に供給するために、内側換気口に対応して並んで外側テントに形成される外側換気口と、
前記外側換気口を通した外部異物の流入を遮断するために外側換気口に付着されるメッシュ窓とを備えることを特徴とするテント側面換気口の換気構造。
【請求項２】
前記メッシュ窓の強度を補強するためにメッシュ窓の上側から下側方向に延びるもので、一端は外側テントの内面に固定され、他端は連結部材を介して地面に打込まれて固定される固定具に連結される補強帯をさらに備えることを特徴とする請求項１に記載のテント側面換気口の換気構造。
【考案の詳細な説明】
【技術分野】
【０００１】
本考案はテント側面換気口の換気構造に関する。
【背景技術】
【０００２】
一般的に、テントの換気構造を見ると、前面ドアと後面ドアを利用して室内を換気させたり、テントの天頂に換気窓を設けて室内を換気させる。
【０００３】
前述したように、前面ドアと後面ドアを利用して室内を換気させるためにはドアを全て開放しなければならず、換気後にはまたドアを閉じなければならないため、ユーザーの動きが多くなって面倒である問題点がある。
【０００４】
また、前述したテント天頂の換気窓を利用した換気時には、ユーザーが立ち上がって換気窓を開閉しなければならない不便さもある。その他にも、テント内部が密閉された状態では天頂の換気窓を通した空気の流動がないため、効果的な通風効果を得ることができない。
【０００５】
前述したような問題点を解決するための従来の技術として、特許文献１にはテントの側面に側面換気窓を設けた「側面換気口が形成されたテント」が開示されている。
【０００６】
特許文献１に開示された従来技術のテントは、テントの両側面部材の下側に側面換気口を形成し、この側面換気口を開閉できるように側面部材の下側外面部を覆いかぶせている底部材に開閉部材を付着した後、開閉部材用の部分開閉手段で開閉部材を所要の分だけ部分的に開閉できるように構成されている。
【０００７】
しかし、前述した従来技術のテントは内側テントに側面換気口を適用した技術である。
【０００８】
すなわち、テントは内側テントと、この内側テントの外側を覆って使用する外側テントとから構成される。
【０００９】
前述したように、内側テントに形成される側面換気口を通じて外部の空気を流入させるためには、内側テントを覆っている外側テントを持ち上げなければ通風効果を得ることができない。
【００１０】
すなわち、外側テントの側面にジッパーを付着し、その部分を開放させておいたり、または支柱ポールを利用して外側テントの側面を持ち上げるなどの付随的な行動が伴うため、面倒であり、且つ不便な問題点を有している。
【００１１】
また、前述した従来技術のテントは、内側テントに形成された側面換気口を天気が変化する度に繰り返し開閉を行わなければならない。
【００１２】
すなわち、雨天時には開放されている側面換気口を閉じなければならず、また天気が晴れると、側面換気口を開放しなければならないなどの面倒さがある。
【００１３】
そして、前述した従来技術のテントの側面換気口は空間部が存在し、側面換気口を開閉する開閉窓も内側テントと同様の防水材質で製作するため、開閉窓が開放された状態で木の葉のような外部の異物が側面換気口を通じて室内に流入してテントの室内を汚染させる問題もある。
【先行技術文献】
【特許文献】
【００１４】
【特許文献１】韓国実用新案登録出願第２００３−２４０５７号(日本実用新案登録第３１００１４９号)
【考案の概要】
【考案が解決しようとする課題】
【００１５】
前述した従来の問題点を解決するためになされた本考案は、外部の空気を外側テントの外側換気口を通じて内側テントの内側換気口に供給することによって、円滑な通風効果により室内環境を快適に維持でき、外側テントの外側換気口に付着するメッシュ窓により木の葉などのような異物が空気と共に内側テント内部に流入することを防止してテントの室内環境を比較的清潔に維持でき、メッシュ窓に付着する補強帯によりメッシュ窓が風にひどく揺れることを防止してメッシュ窓の損傷を防止することができ、雨天時にも外側換気口を通じて外部の空気を自然に内側テントの内部に供給できるので、天気に関係なく換気を持続的に行うことができるテント側面換気口の換気構造を提供することにその目的がある。
【課題を解決するための手段】
【００１６】
前述した目的を達成するための本考案に係るテント側面換気口の換気構造は、開閉窓の開閉により空気の流入量を調節できる内側換気口を有する内側テントと、前記内側テントの外側を覆って使用する外側テントとを含むテントにおいて、前記内側テントの内側換気口を通じて外部の空気をテントの内部に供給するために、内側換気口に対応して並んで外側テントに形成される外側換気口と、前記外側換気口を通した外部異物の流入を遮断するために外側換気口に付着されるメッシュ窓とを備えることを特徴とする。
【００１７】
ここで、前記メッシュ窓の強度を補強するためにメッシュ窓の上側から下側方向に延びるもので、一端は外側テントの内面に固定され、他端は連結部材を介して地面に打込まれて固定される固定具に連結される補強帯をさらに備えることが好ましい。
【考案の効果】
【００１８】
前述したように構成した本考案に係るテント側面換気口の換気構造は次のような効果を有する。
【００１９】
第１に、外部の空気を外側テントの外側換気口を通じて内側テントの内側換気口に供給することによって、円滑な通風効果により室内環境を快適に維持できる。
【００２０】
第２に、外側テントの外側換気口に付着するメッシュ窓により木の葉などのような異物が空気と共に内側テント内部に流入することを防止してテントの室内環境を比較的清潔に維持できる。
【００２１】
第３に、メッシュ窓に付着する補強帯によりメッシュ窓が風にひどく揺れることを防止することによって、メッシュ窓の損傷を防止することができる。
【００２２】
第４に、雨天時にも外側換気口を通じて外部の空気を自然に内側テント内部に供給できるので、天気に関係なく換気を持続的に行うことができる。
【図面の簡単な説明】
【００２３】
【図１】本考案によって外側テントに形成された外側換気口を示す図である。
【図２】本考案によって外側テントに形成された外側換気口と内側テントに形成された内側換気口の構成を示す斜視図である。
【図３】本考案によって外側テントに形成された外側換気口の作用を説明するために示す断面図である。
【考案を実施するための形態】
【００２４】
以下に、添付した図面を参照しながら、本考案の好適な実施形態について詳細に説明する。なお、本明細書および図面において、実質的に同一の機能を有する構成要素については、同一の符号を付することにより重複説明を省略する。
【００２５】
本考案はテント側面に形成される側面換気口に関するもので、特に、開閉窓の開閉により空気の流入量を調節できる内側換気口を有する内側テントと、この内側テントの外側を覆って使用する外側テントとを含むテントにおいて、内側換気口に対応して並んで外側テントに外側換気口を形成して内側テントの内側換気口に外部の空気を供給できるようにし、外側換気口にメッシュ窓を付着して外側換気口を通した外部異物の流入を遮断し、メッシュ窓には補強帯を付着して強度を補強した構成を有するテントに関するものである。より詳細に、本考案は外部の空気を外側テントの外側換気口と内側テントの内側換気口を通じてテントの内部に供給することによって、円滑な通風効果により室内環境を快適に維持でき、外側テントの外側換気口に付着するメッシュ窓により木の葉などのような異物が空気と共に内側テント内部に流入することを防止してテントの室内環境を比較的清潔に維持でき、メッシュ窓に付着する補強帯によりメッシュ窓が風にひどく揺れることを防止することでメッシュ窓の損傷を防止することができ、雨天時にも外側換気口を通じて外部の空気を自然に内側テント内部に供給でき、天気に関係なく換気を持続的に行うことができるテント側面換気口の換気構造に関するものである。
【００２６】
本考案に係るテント側面換気口の換気構造は、開閉窓１０３の開閉により空気の流入量を調節できる内側換気口１０２を有する内側テント１０１と、この内側テント１０１の外側を覆って使用する外側テント１１１とを含むテントにおいて、内側テント１０１の内側換気口１０２に外部の空気を供給するために内側換気口１０２に対応して並んで外側テント１１１に形成される外側換気口１１２と、この外側換気口１１２を通じて外部異物の流入を遮断するために外側換気口１１２に付着するメッシュ窓１１３とを備えている。
【００２７】
そして、メッシュ窓１１３の強度を補強するためにメッシュ窓１１３の上側から下側方向に延びる補強帯１２１をさらに備える。この補強帯１２１の上段は外側テントの内面に固定され、下段は連結部材１２２を介して地面に打込まれて固定される固定具１２３に連結されている。
【００２８】
このように構成した本考案に係るテント側面換気口の換気構造の作用を説明すれば次の通りである。
【００２９】
まず、本考案によって外側テント１１１に形成された外側換気口１１２は図１と図２に示すように、内側テント１０１に形成された内側換気口１０２に対応して並んでほぼ一直線上に形成される。
【００３０】
このように外側換気口１１２を内側換気口１０２に対応して並んで形成することによって、外部の空気が図３に矢印で示したように外側換気口１１２を通じて内側換気口１０２に流入することができるので、通風効果を向上させることができる。
【００３１】
また、外側換気口１１２に付着するメッシュ窓１１３は外側換気口１１２を通じて流入する空気と共に流入する木の葉のような異物をろ過して空気だけを通過させるので、比較的清潔なテント室内環境を維持できる。
【００３２】
そして、メッシュ窓１１３に付着する補強帯１２１の下段は連結部材１２２を介して地面に打込まれて固定された固定具１２３に連結することによって、メッシュ窓１１３が風にひどく揺れることを防止してメッシュ窓１１３の損傷を防止することができる。さらに、外側テント１１１の側面を支持してテント全体の安全性を向上させる役割もする。
【００３３】
本考案のテントにおいて、外側換気口１１２及びメッシュ窓１１３は内側テント１０１の内側換気口１０２と所定の間隔をおいて離間して配設されるので、雨天時に雨水が内側換気口１０２に流入することを防止できる。また、雨天時にも外側換気口１１２を通じて外部の空気は自然に内側テント１０１の内部に供給できるので、天気に関係なく換気を持続的に行うことができる。
【００３４】
一方、外側テント１１１の外側換気口１１２を通じて内側テント１０１の内部に流入する空気量を調節したり遮断するためには、開閉窓１０３に付着したジッパーを移動させて内側テント１０１の内側換気口１０２に形成された開閉窓１０３を少し開くか、中間くらい開いて外側換気口１１２に流入する空気量を調節できる。すなわち、開閉窓１０３の開閉によって調節された空気量を内側換気口１０２に流入させることができる。
【００３５】
そして、ジッパーの移動により開閉窓１０３を完全に閉じることもできるので、内側テント１０１に流入する空気量を自由に調節してテントの室内を快適に維持できる。
【００３６】
以上、添付図面を参照しながら本考案の好適な実施形態について詳細に説明したが、本考案は係る例に限定されない。本考案の属する技術の分野における通常の知識を有する者であれば、実用新案登録請求の範囲に記載された技術的思想の範疇内において、各種の変更例または修正例に想到し得ることは明らかである。そうした変更例についても、当然に本考案の技術的範囲に属するものと了解される。
【産業上の利用可能性】
【００３７】
以上のように、本考案によれば、外部の空気を外側テントの外側換気口を通じて内側テントの内側換気口に供給することによって、円滑な通風効果により室内環境を快適に維持でき、外側テントの外側換気口に付着するメッシュ窓により木の葉などのような異物が空気と共に内側テント内部に流入することを防止してテントの室内環境を比較的清潔に維持でき、メッシュ窓に付着する補強帯によりメッシュ窓が風にひどく揺れることを防止することによって、メッシュ窓の損傷を防止することができ、雨天時にも外側換気口を通じて外部の空気を自然に内側テント内部に供給できるので、天気に関係なく換気を持続的に行うことができる。従って、本考案の産業利用性はきわめて高いものといえる。
【００３８】
一方、本明細書内で本考案をいくつかの好ましい実施形態によって記述したが、当業者ならば、添付の実用新案登録請求の範囲に開示した本考案の範疇及び思想から外れずに、多くの変形及び修正がなされ得ることがわかるはずである。
【符号の説明】
【００３９】
１０１    内側テント
１０２    内側換気口
１０３    開閉窓
１１１    外側テント
１１２    外側換気口
１１３    メッシュ窓
１２１    補強帯
１２２    連結部材
１２３    固定具
【図１】
0003153907.tif 000003
【図２】
0003153907.tif 000004
【図３】
0003153907.tif 000005